(57)【要約】【課題】  クロックが変動することないように常に同期をとり、良質な映像及び音声を出力することができるデジタル放送記録再生装置を提供する。【解決手段】  本発明のデジタル放送記録再生装置１００は、映像信号及び音声信号に同期した第１のクロックを発振するクロック復元部２、第１のクロックに同期して映像信号及び音声信号を記憶部に書き込む記録再生部３、第１のクロックに同期して映像信号及び音声信号に復号処理を行う復号部、第２のクロックを発振するクロック発生部８、復号部４より取得する映像信号を格納するフレーム記憶部５２、複号部４から読み出した映像信号を第１のクロックに同期してフレーム記憶部５２に書き込む書き込み部５１、第２のクロックに同期してフレーム記憶部５２より映像信号を読み出す読み出し部５３、第２のクロックに同期して音声信号の再標本化を行う音声再標本化部６とを備える。【選択図】  図１
2006211580.tif 000002
【特許請求の範囲】
【請求項１】
受信して得た映像信号及び音声信号に同期した第１のクロックを発振するクロック復元部と、
前記映像信号及び前記音声信号を記録する記憶部を備え、前記第１のクロックに同期して、前記映像信号及び前記音声信号を前記記憶部に書き込む記録再生部と、
前記第１のクロックに同期して、前記映像信号及び前記音声信号を前記記録再生部から読み出して復号処理を行う復号部と、
前記第１のクロックとは異なるクロック周波数を有する第２のクロックを発振するクロック発生部と、
前記復号部より取得する前記映像信号を格納するフレーム記憶部と、
前記複号部から読み出した前記映像信号を前記第１のクロックに同期して前記フレーム記憶部に書き込む書き込み部と、
前記第２のクロックに同期して、前記フレーム記憶部より前記映像信号を読み出す読み出し部と、
前記第２のクロックに同期して、前記復号部より取得する前記音声信号の再標本化を行う音声再標本化部
とを備えることを特徴とするデジタル放送記録再生装置。
【発明の詳細な説明】
【技術分野】
【０００１】
本発明は、受信するデジタル信号より映像及び音声を出力するデジタル放送記録再生装置に関する。
【背景技術】
【０００２】
受信するデジタル信号より、映像信号及び音声信号を記録して再生することが出来るようにしたデジタル放送記録再生装置があるが、従来の装置では、例えば図３に示すように、記録はクロック復元部２のクロックを用いて行い、再生はクロック発生部８のクロックを用いて行っていた。しかしながら図３の構成では、記録及び再生の両クロックが同期していないため、記録している信号を時間差をつけて再生する場合に、再生速度が記録速度を追い越すことがあった。これにより、記録中に再生している映像及び音声が再生できず、映像及び音声が途切れた状態で視聴者に出力してしまうことがあった。
【０００３】
この問題を解決するために図４に示すように、記録及び再生を共に１つのクロック、つまりクロック復元部２のクロックを用いて行うデジタル放送記録再生装置が発案された（特許文献１参照。）。
【特許文献１】特開２００１−２８５７９８号公報
【発明の開示】
【発明が解決しようとする課題】
【０００４】
しかしながら、図４の構成では、デジタルチューナ部１のチャンネルを再生中に切り替えると、クロック復元部２が切替先のチャンネルに追従しようとし、クロック復元部２から出力するクロックが過渡的に変動して位相が不安定となる。この結果として、映像にジッタ、音声にワウフラッタが発生し、再生中の映像及び音声が乱れてしまったり、ノイズが発生してしまうことがあった。
【０００５】
本発明は、上記の問題点に鑑みてなされたものであり、クロックが変動することないように常に同期をとり、良質な映像及び音声を出力することができるデジタル放送記録再生装置を提供することを目的とする。
【課題を解決するための手段】
【０００６】
上記の目的を達成するために、本発明の特徴は、[イ]受信して得た映像信号及び音声信号に同期した第１のクロックを発振するクロック復元部（２）と、[ロ]映像信号及び音声信号を記録する記憶部を備え、第１のクロックに同期して、映像信号及び音声信号を記憶部に書き込む記録再生部（３）と、[ハ]第１のクロックに同期して、映像信号及び音声信号を記録再生部（３）から読み出して復号処理を行う復号部（４）と、[ニ]第１のクロックとは異なるクロック周波数を有する第２のクロックを発振するクロック発生部（８）と、[ホ]復号部（４）より取得する映像信号を格納するフレーム記憶部（５２）と、[ヘ]複号部（４）から読み出した映像信号を第１のクロックに同期してフレーム記憶部（５２）に書き込む書き込み部（５１）と、[ト]第２のクロックに同期して、フレーム記憶部（５２）より映像信号を読み出す読み出し部（５３）と、[チ]第２のクロックに同期して、復号部（４）より取得する音声信号の再標本化を行う音声再標本化部（６）とを備えるデジタル放送記録再生装置であることを要旨とする。
【発明の効果】
【０００７】
本発明のデジタル放送記録再生装置によると、再生中に受信チャンネルが変更されてもジッタやワウフラッタの無い安定した再生が出来る。更に、記録している信号を時間差をつけて再生する場合であっても、再生が記録を追い越すことが無く、追い越しにより発生する映像及び音声の停止を防ぐことが出来る。
【発明を実施するための最良の形態】
【０００８】
以下、本発明の実施の形態に係るデジタル放送記録再生装置について説明する。尚、本発明の実施の形態において使用される機器、手法等は一例であり、本発明はこれらに限定されるものではないことは勿論である。
【０００９】
（デジタル放送記録再生装置）
本発明の実施の形態に係るデジタル放送記録再生装置１００は、図１に示すように、デジタルチューナ部１、クロック復元部２、記録再生部３、復号部４、フレームシンクロナイザ部５、音声再標本化部６、Ｄ/Ａ変換部７及びクロック発生部８を備えている。尚、以下の説明においてデジタル放送記録再生装置１００は、一例としてＭＰＥＧ（Motion Picture Experts Group)−２トランスポートストリームを用いて放送されるデジタル放送を出力するものとする。
【００１０】
デジタルチューナ部１は、図示しない外部デジタルアンテナに接続されている。デジタルチューナ部１は、このデジタルアンテナが受信する放送電波を電気信号に変換し、更にこの電気信号を復調して、例えばＭＰＥＧ−２トランスポートストリームを得る。
【００１１】
クロック復元部２は、例えばＩＴＵ−Ｔ勧告Ｈ．２２２．０の「システムタイムクロックを再生するＰＬＬ（Phase Locked Loop）」に示される手法を用いて、デジタルチューナ部１より受信するＭＰＥＧ−２トランスポートストリームにロックするクロックを得る。
【００１２】
記録再生部３は、ＭＰＥＧ−２トランスポートストリーム等のデータを記録、保持するための再生記憶部３１を備えており、この再生記憶部３１に対してデータを書き込みする。再生記憶部３１は、例えば光ディスク装置、磁気ディスク装置及び半導体メモリ装置等より構成される。記録再生部３は、クロック復元部２が発振する第１のクロックに同期して動作しながら、ＭＰＥＧ−２トランスポートストリームを再生記憶部３１に記録する。
【００１３】
復号部４は、再生処理を行う際、クロック復元部２のクロックが発振する第１のクロックに同期して動作しながら、ＭＰＥＧ−２トランスポートストリームを読み出し、映像信号及び音声信号の復号を行う。
【００１４】
クロック発生部８は、クロック復元部２が発振する第１のクロックとは異なるクロック周波数である第２のクロック（第１のクロック＞第２のクロック、又は第１のクロック＜第２のクロック）を発振する。
【００１５】
フレームシンクロナイザ部５は、図１に示すように書き込み部５１、フレーム記憶部５２及び読み出し部５３を備え、クロック復元部２及びクロック発生部８に接続されている。
【００１６】
書き込み部５１は、復号部４より取得するＭＰＥＧ−２トランスポートストリームの内の映像信号を、クロック復元部２が発振する第１のクロックに同期して動作しながら、フレーム単位でフレーム記憶部５２に書き込む。フレーム記憶部５２は、映像信号をフレーム単位に記録する。
【００１７】
読み出し部５３は、クロック発生部８が発振する第２のクロックに同期して動作しながら、フレーム単位でフレーム記憶部５２より映像信号を読み出す。
【００１８】
音声再標本化部６は、クロック発生部８が発振する第２のクロックに同期して動作しながら、音声信号の再標本化を行う。
【００１９】
Ｄ/Ａ変換部７は、クロック発生部８が発振する第２のクロックに同期して動作しながら、フレームシンクロナイザ部５及び音声再標本化部６より取得する映像及び音声のデジタル信号をアナログ信号に変換する。
【００２０】
（デジタル放送記録再生装置の動作）
次にデジタル放送記録再生装置１００の動作について述べる。
【００２１】
(ａ)先ず、図１のデジタルチューナ部１が放送信号を受信し、これを復調してＭＰＥＧ−２トランスポートストリームを得る。デジタルチューナ部１はこのＭＰＥＧ−２トランスポートストリームをクロック復元部２及び記録再生部３に引き渡す。クロック復元部２では、このＭＰＥＧ−２トランスポートストリームにロックするクロックを得る。記録再生部３は、クロック復元部２が発振する第１のクロックに同期するように動作し、ＭＰＥＧ−２トランスポートストリームを記録する。
【００２２】
（ｂ）次に、命令プログラム等により受信するデジタル放送再生の指示を受けると、復号部４が、クロック復元部２のクロックが発振する第１のクロックに同期して動作しながら、記録再生部３よりＭＰＥＧ−２トランスポートストリームを読み出し、映像信号及び音声信号の復号を行う。復号された映像信号はフレームシンクロナイザ部５へ、復号された音声信号は音声再標本化部６へ渡される。
【００２３】
（ｃ）フレームシンクロナイザ部５の書き込み部５１は、復号部４より取得する映像信号を、クロック復元部２が発振する第１のクロックに同期して動作しながら、フレーム単位でフレーム記憶部５２に書き込む。しかし、読み出し部５３が、映像信号をフレーム記憶部５２よりフレーム単位で読み出すときには、クロック発生部８が発振する第２のクロックに同期して動作しながら映像信号を読み出す。このように書き込みクロックと読み込みクロックを非同期で行うことにより、クロックの差を吸収する。具体的には、読み出し部５３の読み出し処理が書き込み部５１の書き込み処理を追い越した場合には、直前に出力したフレームを再度出力するようにする。又、書き込み部５１の書き込み処理が読み出し部５３の読み出し処理を追い越した場合には、フレームを１つ飛ばすようにする。１フレーム程度であれば視聴者の目には殆ど分からないため実用上の問題は無い。
【００２４】
（ｃ）復号された音声信号を受け取った音声再標本化部６は、クロック発生部８が発振する第２のクロックに同期して動作しながら、音声の再標本化を行う。再標本化の処理としては、ｍ個の標本点をｎ個にしたい場合、ｍ＊ｎ個にオーバーサンプリングし、１／ｍに間引く。例えば図２(ａ)に示すように、標本点１０が３個あり、この標本点１０を４個にしたい場合、図２(ｂ)に示すようにオーバーサンプリングし、３＊４＝１２個の標本点１０を得る。次にこれらの標本点１０を１／４に間引き、図２（ｃ）に示すような４個の標本点１１を得る。
【００２５】
（ｄ）最後に、Ｄ/Ａ変換部７は、クロック発生部８が発振する第２のクロックに同期して動作しながら、フレームシンクロナイザ部５及び音声再標本化部６より映像及び音声のデジタル信号を取得し、これらのデジタル信号をアナログ信号に変換して、図示しない外部の液晶モニタ等の端末に出力する。
【００２６】
上記のように構成することにより、デジタルチューナ部１の受信チャンネルを変更し、クロック復元部２による第１のクロック信号の出力が不安定になっても、フレームシンクロナイザ部５及び音声再標本化部６は安定した第２のクロック信号にストリームを乗せることができるため、ジッタやワウフラッタのない安定した出力を行うことが出来る。
【００２７】
尚、記録再生部３においては、記録用クロックと再生用クロックは共に第１のクロックを用いているため、記録再生部３上において、再生が記録を追い越すことは無く、再生が停止することもない。又、記録再生部３及び復号部４は符号化された離散的なデータの処理を行うのみであり、クロックが不安定になった場合でもデータの記録、再生及び復号の処理事態に影響は無い。
【図面の簡単な説明】
【００２８】
【図１】本発明の実施の形態に係るデジタル放送記録再生装置の構成を示す図である。
【図２】音声の再標本化の処理を示す模式図である。
【図３】従来のデジタル放送記録再生装置の構成を示す図である。
【図４】従来のデジタル放送記録再生装置の構成を示す図である。
【符号の説明】
【００２９】
１…デジタルチューナ部
２…クロック復元部
３…記録再生部
４…復号部
５…フレームシンクロナイザ部
６…音声再標本化部
７…Ｄ／Ａ変換部
８…クロック発生部
１０、１１…標本点
５１…書き込み部
５２…フレーム記憶部
５３…読み出し部
１００…デジタル放送記録再生装置
【図１】
2006211580.tif 000003
【図２】
2006211580.tif 000004
【図３】
2006211580.tif 000005
【図４】
2006211580.tif 000006